(57)【要約】【課題】エレベータの乗りかご等の、遮蔽空間を有する移動物体に乗る移動端末ユーザへのサービス品質を向上させること。【解決手段】通信制御装置１０−１において、運行情報取得部１１は、エレベータ運行管理装置から、屋内制御回線を介して運行情報を取得し、運行情報管理部１２は、運行情報取得部１１から入力される運行情報を記憶し、回線制御部１３は、運行情報管理部１２から入力される運行情報に基づいて、エレベータ基地局と各フロア基地局との間の回線の確立、及び、解放を制御する。【選択図】図２
2014036265.tif 000002
【特許請求の範囲】
【請求項１】
エレベータの運行情報を取得する取得部と、
前記運行情報に基づいて、前記エレベータの乗りかごに設置された第１基地局と、前記エレベータが停止し得る停止階に設置された第２基地局との間の回線、前記第１基地局の送信電力及び前記第２基地局の送信電力、及び、前記停止階毎に移動端末の位置を測位するための測位情報の少なくとも一つを制御する制御部と、
を具備する通信制御装置。
【請求項２】
前記運行情報は、前記乗りかごが停止する予定の階を示す停止予定階を含み、
前記制御部は、前記停止予定階に基づいて、前記乗りかごが前記停止予定階に到着する前に、前記第１基地局と、前記停止予定階に設置された前記第２基地局との間の前記回線を確立する、
請求項１に記載の通信制御装置。
【請求項３】
前記運行情報は、さらに、前記乗りかごの現在位置と、前記乗りかごの移動方向とを含み、
前記制御部は、前記停止予定階、前記現在位置、及び、前記移動方向に基づいて、前記乗りかごが前記停止予定階の方向へ進み、かつ、前記乗りかごが前記停止予定階に対し閾値以内に近接したときに、前記第１基地局と、前記停止予定階に設置された前記第２基地局との間の前記回線を確立する、
請求項２に記載の通信制御装置。
【請求項４】
前記運行情報は、前記乗りかごの現在位置を含み、
前記制御部は、前記現在位置に基づいて、前記乗りかごが移動を開始したときに、前記第１基地局と、移動元の階に設置された前記第２基地局との間の前記回線を解放する、
請求項１に記載の通信制御装置。
【請求項５】
前記運行情報は、前記乗りかごの現在位置と、前記乗りかごのドアの開閉状態とを含み、
前記制御部は、前記現在位置及び前記開閉状態に基づいて、前記第１基地局の送信電力及び前記第２基地局の送信電力を制御する、
請求項１に記載の通信制御装置。
【請求項６】
前記制御部は、前記ドアが開いているときの前記第１基地局の送信電力値を、前記ドアが閉じているときの前記第１基地局の送信電力値よりも小さな値に制御する、
請求項５に記載の通信制御装置。
【請求項７】
前記制御部は、前記乗りかごが位置する階に設置された前記第２基地局の送信電力値を、前記乗りかごが位置しない階に設置された前記第２基地局の送信電力値よりも小さな値に制御する、
請求項５または６に記載の通信制御装置。
【請求項８】
前記制御部は、前記ドアが開いているときの前記第２基地局の送信電力値を、前記ドアが閉じているときの前記第２基地局の送信電力値よりも小さな値に制御する、
請求項５から７のいずれか一つに記載の通信制御装置。
【請求項９】
前記第１基地局から送信された信号の前記移動端末における第１受信電力値と、前記第２基地局から送信された信号の前記移動端末における第２受信電力値とを示す前記測位情報を、前記停止階毎に管理する管理部、をさらに具備し、
前記運行情報は、前記乗りかごの現在位置と、前記乗りかごのドアの開閉状態とを含み、
前記制御部は、前記現在位置及び前記開閉状態に基づいて、前記第１受信電力値及び前記第２受信電力値を更新する、
請求項１に記載の通信制御装置。
【請求項１０】
前記制御部は、前記測位情報において、
前記停止階における前記エレベータの設置位置に対応するエリアの前記第１受信電力値を、当該階に前記乗りかごが位置するときは、当該階に前記乗りかごが位置しないときより小さな値に更新する、
請求項９に記載の通信制御装置。
【請求項１１】
前記制御部は、前記測位情報において、
前記停止階における前記エレベータの設置位置に隣接する位置に対応するエリアの前記第２受信電力値を、当該階に前記乗りかごが位置するときは、当該階に前記乗りかごが位置しないときより小さな値に更新する、
請求項９または１０に記載の通信制御装置。
【請求項１２】
前記制御部は、前記測位情報において、
前記停止階における前記エレベータの設置位置に隣接する位置に対応するエリアの前記第１受信電力値を、前記ドアが開いているときは、前記ドアが閉じているときより小さな値に更新する、
請求項９から１１のいずれか一つに記載の通信制御装置。
【請求項１３】
遮蔽空間を有する移動物体の運行情報を取得する取得部と、
前記運行情報に基づいて、前記遮蔽空間内に設置された第１基地局と、前記移動物体の停止位置に設置された第２基地局との間の回線、前記第１基地局の送信電力及び前記第２基地局の送信電力、及び、移動端末の位置を測位するための測位情報の少なくとも一つを制御する制御部と、
を具備する通信制御装置。
【請求項１４】
エレベータの運行情報を取得し、
前記運行情報に基づいて、前記エレベータの乗りかごに設置された第１基地局と、前記エレベータが停止し得る停止階に設置された第２基地局との間の回線、前記第１基地局の送信電力及び前記第２基地局の送信電力、及び、前記停止階毎に移動端末の位置を測位するための測位情報の少なくとも一つを制御する、
通信制御方法。
【発明の詳細な説明】
【技術分野】
【０００１】
本発明は、通信制御装置及び通信制御方法に関する。
【背景技術】
【０００２】
移動体通信システムにおいて、電波が届きにくい屋内での通信を可能にするために、半径が数十メートル以下の狭小セルであるフェムトセルを形成する小型基地局（以下では「フェムト基地局」と呼ばれることがある）を屋内に設置することが検討されている。
【先行技術文献】
【特許文献】
【０００３】
【特許文献１】特開２０１１−１３５３８３号公報
【特許文献２】特開２０１１−１２００９５号公報
【発明の概要】
【発明が解決しようとする課題】
【０００４】
どこでも良好な通信を行いたいという移動端末ユーザの要求を満たすために、今後は、屋内のいたるところへフェムト基地局が設置されていくことが見込まれる。例えば、ビル内において、各階のフロアにフェムト基地局を設置することが考えられる。さらに、ビル内のエレベータの中でも良好な通信が行えるように、各階のフロアだけでなく、エレベータの乗りかご（以下では「乗りかご」と省略して呼ばれることがある）にもフェムト基地局を設置することが考えられる。
【０００５】
ここで、乗りかごは複数の階に渡って移動するため、通信を途切れさせないためには、乗りかごに設置された基地局（以下では「エレベータ基地局」と呼ばれることがある）と、各階のフロアに設置された基地局（以下では「フロア基地局」と呼ばれることがある）との間で、移動端末のハンドオーバが行われる。よって、移動端末ユーザへのサービス品質を向上させるためには、ハンドオーバがスムーズに行われることが望まれる。
【０００６】
また、乗りかごは複数の階に渡って移動するため、エレベータ基地局の影響により、乗りかごが位置する階に応じて、各階の電波環境が変化する。さらに、乗りかごのドアが閉じた状態にあるときは、乗りかご内は、乗りかごの内外から電波が届きにくい遮蔽空間となる。一方で、乗りかごのドアが開いた状態にあるときは、乗りかご内は、乗りかごの内外から電波が届きやすい空間となる。よって、乗りかごのドアの開閉に応じても、各階の電波環境は変化する。よって、移動端末ユーザへのサービス品質を向上させるためには、このような電波環境の変化に応じた適切な制御が行われることが望まれる。
【０００７】
開示の技術は、上記に鑑みてなされたものであって、エレベータの乗りかご等の、遮蔽空間を有する移動物体に乗る移動端末ユーザへのサービス品質を向上させることを目的とする。
【課題を解決するための手段】
【０００８】
開示の態様の通信制御装置は、エレベータの運行情報を取得する取得部と、前記運行情報に基づいて、前記エレベータの乗りかごに設置された第１基地局と、前記エレベータが停止し得る停止階の各階に設置された第２基地局との間の回線、前記第１基地局の送信電力及び前記第２基地局の送信電力、及び、前記停止階毎に移動端末の位置を測位するための測位情報の少なくとも一つを制御する制御部と、を具備する。
【発明の効果】
【０００９】
開示の態様によれば、エレベータの乗りかご等の、遮蔽空間を有する移動物体に乗る移動端末ユーザへのサービス品質を向上させることができる。
【図面の簡単な説明】
【００１０】
【図１】図１は、実施例１の通信システムの一例を示す図である。
【図２】図２は、実施例１の通信制御装置の一例を示す機能ブロック図である。
【図３】図３は、実施例１の運行情報のフォーマット例を示す図である。
【図４】図４は、実施例１の運行情報の一例を示す図である。
【図５】図５は、実施例１の通信システムの動作（運行情報取得時）の説明に供するシーケンス図である。
【図６】図６は、実施例１の通信システムの動作（回線制御時）の説明に供するシーケンス図である。
【図７】図７は、実施例２の通信制御装置の一例を示す機能ブロック図である。
【図８】図８は、実施例２のエレベータ基地局の送信電力情報の一例を示す図である。
【図９】図９は、実施例２のフロア基地局の送信電力情報の一例を示す図である。
【図１０】図１０は、実施例２の通信システムの動作の説明に供するシーケンス図である。
【図１１】図１１は、実施例３の通信制御装置の一例を示す機能ブロック図である。
【図１２】図１２は、実施例３の測位情報（乗りかご：無し，ドア：閉の場合）の一例を示す図である。
【図１３】図１３は、実施例３の測位情報（乗りかご：有り，ドア：閉の場合）の一例を示す図である。
【図１４】図１４は、実施例３の測位情報（乗りかご：有り，ドア：開の場合）の一例を示す図である。
【図１５】図１５は、実施例３の通信制御装置の動作の説明に供するシーケンス図である。
【図１６】図１６は、通信制御装置のハードウェア構成例を示す図である。
【発明を実施するための形態】
【００１１】
以下に、本願の開示する通信制御装置及び通信制御方法の実施例を図面に基づいて詳細に説明する。なお、以下の実施例により本願の開示する通信制御装置及び通信制御方法が限定されるものではない。また、各実施例において同一の機能を有する構成には同一の符号を付し、重複する説明は省略される。
【００１２】
［実施例１］
＜通信システムの概要＞
図１は、実施例１の通信システムの一例を示す図である。図１において、通信システム１００は、通信制御装置１０と、エレベータ運行管理装置２０と、コアネットワークのＥＰＣ（Evolved  Packet  Core）３０と、エレベータ基地局５２と、フロア基地局１−１，１−２，１−３，…，７−１，７−２，７−３，８−１，８−２，８−３と、移動端末６０とを有する。
【００１３】
通信制御装置１０及びエレベータ運行管理装置２０は、ビル４０内に設置される。また、ビル４０内には、乗りかご５１を有するエレベータ５０が設置される。乗りかご５１は、エレベータ運行管理装置２０の制御の下、ビル４０の複数の階に渡って移動する。なお、図１には、一例として、ビル４０が１階〜８階の８フロアで構成される場合を示す。
【００１４】
乗りかご５１には、エレベータ基地局５２が設置される。  
【００１５】
ビル４０の１階のフロアには、フロア基地局１−１，１−２，１−３が設置される。ビル４０の７階のフロアには、フロア基地局７−１，７−２，７−３が設置される。ビル４０の８階のフロアには、フロア基地局８−１，８−２，８−３が設置される。ビル４０の２階〜６階の各フロアにも、同様に、フロア基地局が設置される。
【００１６】
エレベータ運行管理装置２０と通信制御装置１０とは、屋内制御回線＃２によって接続される。エレベータ運行管理装置２０は、エレベータ５０の運行を制御・管理しており、エレベータ５０の運行情報（以下では「運行情報」と省略して呼ばれることがある）を屋内制御回線＃２を介して通信制御装置１０へ送信する。エレベータ運行管理装置２０は、以下のいずれかの送信タイミングで、運行情報を通信制御装置１０へ送信する。
【００１７】
＜送信タイミング１＞エレベータ運行管理装置２０は、運行情報を更新する度に運行情報を通信制御装置１０へ送信する。
【００１８】
＜送信タイミング２＞エレベータ運行管理装置２０は、所定の時間間隔で運行情報を通信制御装置１０へ送信する。
【００１９】
＜送信タイミング３＞エレベータ運行管理装置２０は、通信制御装置１０からの取得要求に応じて、運行情報を通信制御装置１０へ送信する。
【００２０】
通信制御装置１０と、エレベータ基地局５２とは、屋内制御回線＃１によって接続される。同様に、通信制御装置１０と、各フロア基地局とは、屋内制御回線＃１によって接続される。なお、屋内制御回線＃１を介した通信は、ＣＰＥ  ＷＡＮ管理プロトコル（ＣＷＭＰ：CPE  WAN  Management  Protocol）の技術仕様であるＴＲ−０６９等を用いて行われる。
【００２１】
ＥＰＣ３０と、各フロア基地局とは、Ｓ１回線＃３によって接続される。
【００２２】
エレベータ基地局５２と、各フロア基地局とは、Ｘ２回線＃４によって接続される。例えば、乗りかご５１がビル４０の８階に位置する場合、エレベータ基地局５２とフロア基地局８−１とはＸ２回線＃４−１によって接続される。同様に、エレベータ基地局５２とフロア基地局８−２とはＸ２回線＃４−２によって接続され、エレベータ基地局５２とフロア基地局８−３とはＸ２回線＃４−３によって接続される。
【００２３】
移動端末６０は、エレベータ基地局５２、または、いずれかのフロア基地局を介して、ＥＰＣ３０からデータを受信し、ＥＰＣ３０へデータを送信する。
【００２４】
ここで、Ｓ１回線は、コアネットワークと基地局とを接続する回線である。
【００２５】
一方で、Ｘ２回線は、３ＧＰＰ―ＬＴＥ（3rd  Generation  Partnership  Project  Long  Term  Evolution）において新たに導入された回線であり、基地局間を直接接続する回線である。Ｘ２回線が基地局間に確立されることにより、コアネットワークを介さずに、基地局間でデータの転送が可能になる。そこで、ハンドオーバの直前において、ハンドオーバ元の基地局は、ハンドオーバ対象の移動端末へ送信しきれなかったデータを、Ｘ２回線を介してハンドオーバ先の基地局へ転送する。ハンドオーバ先の基地局は、Ｘ２回線を介して受信したデータを、ハンドオーバによって新たに自局に接続した移動端末へ送信する。これによりハンドオーバ時のデータ欠落を防ぐことができる。よって、Ｘ２回線を介してデータ転送が行われるハンドオーバは、コアネットワークを介してデータ転送が行われるハンドオーバよりも、コアネットワークでのデータ処理の負荷を軽減させることができる。
【００２６】
なお、Ｓ１回線は、Ｓ１コネクション、Ｓ１リンク、または、Ｓ１インタフェース等と呼ばれることがある。また、Ｘ２回線は、Ｘ２コネクション、Ｘ２リンク、または、Ｘ２インタフェース等と呼ばれることがある。
【００２７】
＜通信制御装置の構成＞
図２は、実施例１の通信制御装置の一例を示す機能ブロック図である。図２において、通信制御装置１０−１は、運行情報取得部１１と、運行情報管理部１２と、回線制御部１３とを有する。図２に示す通信制御装置１０−１は、図１に示す通信制御装置１０に対応する。
【００２８】
運行情報取得部１１は、エレベータ運行管理装置２０から、屋内制御回線＃２を介して、運行情報を取得する。運行情報取得部１１は、取得した運行情報を運行情報管理部１２に出力する。
【００２９】
ここで、運行情報について説明する。図３は、実施例１の運行情報のフォーマット例を示す図である。
【００３０】
図３において、運行情報７０は、エレベータＩＤ、現在位置、移動方向、停止予定階、及び、開閉状態の５つの項目を有する。
【００３１】
「エレベータＩＤ」は、エレベータを識別するための、各エレベータに固有の識別子である。例えばビル４０内に３基のエレベータが設置されている場合、「エレベータＩＤ」は‘００１’，‘００２’または‘００３’のいずれかとなる。
【００３２】
「現在位置」は、乗りかご５１の現在位置を示す。例えば乗りかご５１が２階に停止中の場合は、「現在位置」は‘２階’となる。また、例えば乗りかご５１が４階と５階との間を移動中である場合は、「現在位置」は‘４階−５階’となる。
【００３３】
「移動方向」は、乗りかご５１の移動方向を示し、具体的には、‘上り’または‘下り’となる。
【００３４】
「停止予定階」は、乗りかご５１が停止する予定の階を示す。例えば、乗りかご５１内において、２階，３階及び５階の階数指定ボタンが押下された場合には、「停止予定階」は‘２階，３階，５階’となる。
【００３５】
「開閉状態」は、乗りかご５１のドアの開閉状態を示し、具体的には、‘開’または‘閉’となる。
【００３６】
運行情報管理部１２は、運行情報データベース（図示せず）を有し、運行情報取得部１１から入力される運行情報を、運行情報データベースに記憶する。運行情報管理部１２は、運行情報取得部１１から運行情報を入力される度に、その入力された運行情報により運行情報データベースを更新する。
【００３７】
ここで、運行情報データベースに記憶される運行情報の具体例について説明する。図４は、実施例１の運行情報の一例を示す図である。図４には、ＩＤ‘００１’〜‘０１０’の１０基のエレベータがビル４０内に設置されている場合を一例として示す。
【００３８】
また、運行情報管理部１２は、所定の条件に該当するときに、運行情報データベースに記憶した運行情報を回線制御部１３に出力する。
【００３９】
ここで、所定の条件として、具体的には、以下の条件を設定し得る。＜条件１＞または＜条件２＞に該当するか否かは、運行情報管理部１２が、運行情報データベースに記憶された運行情報と、運行情報取得部１１から新たに入力された運行情報とを比較することにより判定することができる。
【００４０】
＜条件１＞各エレベータの運行情報において、いずれかのエレベータの「停止予定階」が更新されたこと。例えば、現在２階に位置する乗りかご５１の停止予定階が３階及び５階である場合には、乗りかご５１が３階に到着したときに、運行情報の「停止予定階」が‘３階，５階’から‘５階’に更新される。
【００４１】
＜条件２＞いずれかのエレベータの乗りかご５１が、停止状態から移動状態に遷移したこと。すなわち、いずれかのエレベータの乗りかご５１が、移動を開始したこと。例えば４階に位置していた乗りかご５１が５階に向けて移動を開始した場合、運行情報の「現在位置」が‘４階’から‘４階−５階’に更新される。
【００４２】
所定の条件として、＜条件１＞または＜条件２＞のいずれか一方のみを設定してもよいし、＜条件１＞及び＜条件２＞の双方を設定してもよい。
【００４３】
回線制御部１３は、運行情報管理部１２から入力される運行情報に基づいて、エレベータ基地局５２と各フロア基地局との間のＸ２回線の確立、及び、解放を制御する。
【００４４】
＜回線制御部の処理＞
回線制御部１３は、運行情報に基づいて、乗りかご５１が停止予定階に到着する前に、エレベータ基地局５２と、停止予定階に設置されたフロア基地局との間のＸ２回線を確立する。
【００４５】
具体的には、例えば、運行情報が図４に示す状態にある場合、回線制御部１３は、以下のようにして、エレベータ基地局５２に対して確立要求を送信することによりＸ２回線を確立する。この確立要求には「停止予定階」が含まれる。
【００４６】
すなわち、回線制御部１３は、ＩＤ‘００１’のエレベータの乗りかご５１に設置されたエレベータ基地局５２に対し、‘３階，５階’の停止予定階を含む確立要求を屋内制御回線＃１を介して送信する。この確立要求に応じて、エレベータ基地局５２は、停止予定階である３階及び５階に設置された各フロア基地局とのＸ２回線を確立する。これにより、現在２階に位置するエレベータ基地局５２は、３階及び５階に到着する前に、事前に、３階及び５階に設置された各フロア基地局とのＸ２回線を確立することができる。
【００４７】
また、回線制御部１３は、ＩＤ‘００２’のエレベータの乗りかご５１に設置されたエレベータ基地局５２に対し、‘２階，３階’の停止予定階を含む確立要求を屋内制御回線＃１を介して送信する。この確立要求に応じて、エレベータ基地局５２は、停止予定階である２階及び３階に設置された各フロア基地局とのＸ２回線を確立する。これにより、現在４階に位置するエレベータ基地局５２は、２階及び３階に到着する前に、事前に、２階及び３階に設置された各フロア基地局とのＸ２回線を確立することができる。
【００４８】
また、回線制御部１３は、ＩＤ‘０１０’のエレベータの乗りかご５１に設置されたエレベータ基地局５２に対し、‘５階，８階’の停止予定階を含む確立要求を屋内制御回線＃１を介して送信する。この確立要求に応じて、エレベータ基地局５２は、停止予定階である５階及び８階に設置された各フロア基地局とのＸ２回線を確立する。これにより、現在４階と５階との間を移動中であるエレベータ基地局５２は、５階及び８階に到着する前に、事前に、５階及び８階に設置された各フロア基地局とのＸ２回線を確立することができる。
【００４９】
また、例えば、回線制御部１３は、以下のようにして、停止予定階に設置されたフロア基地局に対して確立要求を送信することによりＸ２回線を確立してもよい。この確立要求には運行情報の「エレベータＩＤ」が含まれる。
【００５０】
すなわち、回線制御部１３は、ＩＤ‘００１’のエレベータの停止予定階である３階及び５階に設置された各フロア基地局に対して、‘００１’のエレベータＩＤを含む確立要求を屋内制御回線＃１を介して送信する。この確立要求に応じて、３階及び５階に設置された各フロア基地局は、ＩＤ‘００１’のエレベータの乗りかご５１に設置されたエレベータ基地局５２とのＸ２回線を確立する。これにより、現在２階に位置するエレベータ基地局５２は、３階及び５階に到着する前に、事前に、３階及び５階に設置された各フロア基地局とのＸ２回線を確立することができる。
【００５１】
また、回線制御部１３は、ＩＤ‘００２’のエレベータの停止予定階である２階及び３階に設置された各フロア基地局に対して、‘００２’のエレベータＩＤを含む確立要求を屋内制御回線＃１を介して送信する。この確立要求に応じて、２階及び３階に設置された各フロア基地局は、ＩＤ‘００２’のエレベータの乗りかご５１に設置されたエレベータ基地局５２とのＸ２回線を確立する。これにより、現在４階に位置するエレベータ基地局５２は、２階及び３階に到着する前に、事前に、２階及び３階に設置された各フロア基地局とのＸ２回線を確立することができる。
【００５２】
また、回線制御部１３は、ＩＤ‘０１０’のエレベータの停止予定階である５階及び８階に設置された各フロア基地局に対して、‘０１０’のエレベータＩＤを含む確立要求を屋内制御回線＃１を介して送信する。この確立要求に応じて、５階及び８階に設置された各フロア基地局は、ＩＤ‘０１０’のエレベータの乗りかご５１に設置されたエレベータ基地局５２とのＸ２回線を確立する。これにより、現在４階と５階との間を移動中であるエレベータ基地局５２は、５階及び８階に到着する前に、事前に、５階及び８階に設置された各フロア基地局とのＸ２回線を確立することができる。
【００５３】
よって、回線制御部１３が確立要求を送信することによりＸ２回線を確立するには、運行情報には、少なくとも、「エレベータＩＤ」と、「停止予定階」とが含まれていればよい。但し、ビル４０内にエレベータが１基しか設置されていない場合には、運行情報には、「エレベータＩＤ」が含まれる必要はない。
【００５４】
一方で、回線制御部１３は、乗りかご５１が移動を開始したときに、エレベータ基地局５２と、移動元の階に設置されたフロア基地局との間のＸ２回線を解放する。
【００５５】
具体的には、例えば、運行情報が図４に示す状態にある場合、回線制御部１３は、以下のようにして、エレベータ基地局５２に対して解放要求を送信することによりＸ２回線を解放する。
【００５６】
すなわち、乗りかご５１が移動を開始すると、運行情報の「現在位置」は、移動中を示す状態になる。例えば、図４に示すように、ＩＤ‘０１０’のエレベータの乗りかご５１は４階と５階との間を移動中であるため、運行情報の「現在位置」は‘４階−５階’となっている。また、乗りかご５１が移動を開始したときに、上記＜条件２＞のように、運行情報管理部１２から回線制御部１３に運行情報が入力される。よって、回線制御部１３は、運行情報管理部１２から入力される運行情報の「現在位置」から移動元の階数を判断することができる。すなわち、入力される運行情報の「現在位置」が‘４階−５階’となっている場合には、回線制御部１３は、移動元の階数を４階と判断する。そこで、回線制御部１３は、運行情報の「現在位置」が移動中を示す状態にある場合、移動中にある乗りかご５１に設置されたエレベータ基地局５２に対し、移動元の階数を含む解放要求を送信する。例えば、ＩＤ‘０１０’のエレベータの乗りかご５１が４階と５階との間を移動中である場合、回線制御部１３は、ＩＤ‘０１０’のエレベータの乗りかご５１に設置されたエレベータ基地局５２に対し、‘４階’を含む解放要求を屋内制御回線＃１を介して送信する。この解放要求に応じて、エレベータ基地局５２は、移動元の階である４階に設置された各フロア基地局とのＸ２回線を解放する。
【００５７】
また、例えば、回線制御部１３は、以下のようにして、停止予定階に設置されたフロア基地局に対して解放要求を送信することによりＸ２回線を解放してもよい。この解放要求には運行情報の「エレベータＩＤ」が含まれる。
【００５８】
すなわち、回線制御部１３は、ＩＤ‘０１０’のエレベータの乗りかご５１の移動元の階である４階に設置された各フロア基地局に対して、‘０１０’のエレベータＩＤを含む解放要求を屋内制御回線＃１を介して送信する。この解放要求に応じて、移動元の階である４階に設置された各フロア基地局は、ＩＤ‘０１０’のエレベータの乗りかご５１に設置されたエレベータ基地局５２とのＸ２回線を解放する。
【００５９】
よって、回線制御部１３が解放要求を送信することによりＸ２回線を解放するには、運行情報には、少なくとも、「エレベータＩＤ」と、「現在位置」とが含まれていればよい。但し、ビル４０内にエレベータが１基しか設置されていない場合には、運行情報には、「エレベータＩＤ」が含まれる必要はない。
【００６０】
ここで、Ｘ２回線の確立は、乗りかご５１が、停止予定階に近接したときに行われるのが好ましい。すなわち、回線制御部１３は、乗りかご５１が停止予定階の方向へ進み、かつ、乗りかご５１が停止予定階に対し閾値以内に近接した場合に、Ｘ２回線を確立するのが好ましい。
【００６１】
具体的には、例えば、運行情報が図４に示す状態にある場合、回線制御部１３は、以下のようにして、乗りかご５１が停止予定階に対し閾値以内に近接した場合に、エレベータ基地局５２に対して確立要求を送信することによりＸ２回線を確立する。この確立要求には「停止予定階」が含まれる。また、閾値は、乗りかご５１の現在位置と、乗りかご５１の移動方向の直近の停止予定階との間の階の差の閾値である。この閾値は、例えば‘１’に設定される。
【００６２】
すなわち、ＩＤ‘００１’のエレベータでは、乗りかご５１は現在２階に位置しており、乗りかご５１の移動方向の停止予定階は３階及び５階である。ここで、現在位置である２階と停止予定階である３階との差は‘１’である。また、現在位置である２階と停止予定階である５階との差は‘３’である。よって、停止予定階である３階については、乗りかご５１は、閾値‘１’以内に近接している。一方で、停止予定階である５階については、乗りかご５１は、閾値‘１’以内に近接していない。
【００６３】
そこで、回線制御部１３は、ＩＤ‘００１’のエレベータの乗りかご５１に設置されたエレベータ基地局５２に対し、閾値以内に近接した‘３階’の停止予定階を含む確立要求を屋内制御回線＃１を介して送信する。この確立要求に応じて、エレベータ基地局５２は、停止予定階である３階に設置された各フロア基地局とのＸ２回線を確立する。これにより、現在２階に位置するエレベータ基地局５２は、３階に到着する直前に、３階に設置された各フロア基地局とのＸ２回線を確立することができる。
【００６４】
一方で、回線制御部１３は、ＩＤ‘００１’のエレベータの乗りかご５１に設置されたエレベータ基地局５２に対して、閾値以内に近接していない‘５階’の停止予定階を含む確立要求を送信しない。
【００６５】
よって、回線制御部１３が階の差が閾値以内になった場合に確立要求を送信することによりＸ２回線を確立するには、運行情報には、少なくとも、「エレベータＩＤ」と、「現在位置」と、「移動方向」と、「停止予定階」とが含まれていればよい。但し、ビル４０内にエレベータが１基しか設置されていない場合には、運行情報には、「エレベータＩＤ」が含まれる必要はない。
【００６６】
このように、回線制御部１３は、乗りかご５１の移動方向にある停止予定階のうち、乗りかご５１の現在位置と閾値以内の距離にある停止予定階にあるフロア基地局とのＸ２回線を確立する。
【００６７】
＜通信システムの動作＞
図５は、実施例１の通信システムの動作（運行情報取得時）の説明に供するシーケンス図である。
【００６８】
エレベータ運行管理装置２０は、運行情報を屋内制御回線＃２を介して通信制御装置１０−１へ送信する（ステップＳ１０１）。
【００６９】
通信制御装置１０−１の運行情報取得部１１は、運行情報を取得して、取得した運行情報を運行情報管理部１２に出力する（ステップＳ１０２）。
【００７０】
運行情報管理部１２は、運行情報取得部１１から入力された運行情報によって運行情報データベースを更新する（ステップＳ１０３）。
【００７１】
図６は、実施例１の通信システムの動作（回線制御時）の説明に供するシーケンス図である。図６には、上記＜条件１＞または上記＜条件２＞のいずれかに該当するときに、運行情報管理部１２が運行情報を回線制御部１３に出力する場合を一例として示す。また、図６には、回線制御部１３が、確立要求をエレベータ基地局５２に送信する場合を一例として示す。
【００７２】
通信制御装置１０−１において、運行情報管理部１２は、各エレベータの運行情報において、いずれかのエレベータの「停止予定階」が更新されたときに（ステップＳ２０１）、運行情報を回線制御部１３に出力する（ステップＳ２０２）。
【００７３】
回線制御部１３は、運行情報に基づいて、該当するエレベータ基地局５２に屋内制御回線＃１を介して確立要求を送信する（ステップＳ２０３）。
【００７４】
確立要求を受信したエレベータ基地局５２は、該当するフロア基地局とのＸ２回線を確立する（ステップＳ２０４）。
【００７５】
また、運行情報管理部１２は、いずれかのエレベータの乗りかご５１が移動を開始したときに（ステップＳ２０５）、運行情報を回線制御部１３に出力する（ステップＳ２０６）。
【００７６】
回線制御部１３は、運行情報に基づいて、該当するエレベータ基地局５２に屋内制御回線＃１を介して解放要求を送信する（ステップＳ２０７）。
【００７７】
解放要求を受信したエレベータ基地局５２は、該当するフロア基地局とのＸ２回線を解放する（ステップＳ２０８）。
【００７８】
以上のように実施例１によれば、通信制御装置１０−１において、運行情報取得部１１は、エレベータの運行情報を取得する。回線制御部１３は、エレベータの運行情報に基づいて、エレベータの乗りかご５１に設置されたエレベータ基地局５２と、エレベータが停止し得る停止階の各階に設置されたフロア基地局との間のＸ２回線を制御する。
【００７９】
これにより、エレベータの運行状態に応じた、Ｘ２回線の適切な制御を行うことができるため、エレベータの乗りかご５１に乗る移動端末ユーザへのサービス品質を向上させることができる。
【００８０】
また、実施例１によれば、回線制御部１３は、エレベータＩＤ及び停止予定階に基づいて、乗りかご５１が停止予定階に到着する前に、エレベータ基地局５２と、停止予定階に設置されたフロア基地局との間のＸ２回線を確立する。
【００８１】
これにより、エレベータ基地局５２と、停止予定階に設置された各フロア基地局との間のＸ２回線が事前に確立される。このため、乗りかご５１が停止予定階に到着する前に、ハンドオーバ元のエレベータ基地局５２からハンドオーバ先のフロア基地局へのデータ送信が可能になる。よって、乗りかご５１が停止予定階に到着する前に、事前に、乗りかご５１内に存在するハンドオーバ対象の移動端末６０へのデータを、エレベータ基地局５２からフロア基地局へ転送しておくことが可能になる。よって、移動端末６０はハンドオーバをスムーズに行うことができるため、移動端末６０が乗りかご５１からフロアへ移動する際に、通信が途切れない。よって、エレベータの乗りかご５１に乗る移動端末ユーザへのサービス品質を向上させることができる。
【００８２】
また、実施例１によれば、回線制御部１３は、エレベータＩＤ、停止予定階、現在位置、及び、移動方向に基づいて、乗りかご５１が停止予定階の方向へ進み、かつ、乗りかご５１が停止予定階に対し閾値以内に近接した場合に、エレベータ基地局５２と、停止予定階に設置されたフロア基地局との間のＸ２回線を確立する。
【００８３】
これにより、エレベータ基地局５２は、乗りかご５１の現在位置に近接する停止予定階に設置されたフロア基地局との間でのみ、Ｘ２回線を確立することができる。換言すれば、エレベータ基地局５２は、乗りかご５１の現在位置に近接しない停止予定階に設置されたフロア基地局との間のＸ２回線を確立しないことができる。つまり、Ｘ２回線の確立を、エレベータ基地局５２と、乗りかご５１の現在位置に近接した最低限必要な階のフロア基地局との間だけに制限することができる。よって、すべての停止予定階のフロア基地局とＸ２回線を確立する場合に比べ、Ｘ２回線のセッション数を抑えることができる。よって、Ｘ２回線のセッション数に上限がある場合に、Ｘ２回線のセッションが枯渇してしまう可能性を低くすることができる。特に、ビル４０内に複数のエレベータ５０が設置される場合、各階に多くのフロア基地局が設置される場合、または、ビル４０の階数が多い場合等に、Ｘ２回線のセッションが枯渇してしまう可能性を低くすることができる。
【００８４】
また、実施例１によれば、回線制御部１３は、エレベータＩＤ及び現在位置に基づいて、乗りかご５１が移動を開始したときに、エレベータ基地局５２と、移動元の階に設置されたフロア基地局との間のＸ２回線を解放する。
【００８５】
これにより、必要のないＸ２回線を解放することができるため、確立されるＸ２回線の数を必要最低限に抑えつつ、Ｘ２回線を効率的に運用することができる。
【００８６】
［実施例２］
＜通信制御装置の構成＞
図７は、実施例２の通信制御装置の一例を示す機能ブロック図である。図７において、通信制御装置１０−２は、運行情報取得部１１と、運行情報管理部１２と、送信電力制御部１４と、送信電力情報管理部１５とを有する。図７に示す通信制御装置１０−２は、図１に示す通信制御装置１０に対応する。
【００８７】
運行情報管理部１２は、実施例１と同様にして、運行情報を記憶及び更新する。但し、実施例２では、運行情報管理部１２から送信電力制御部１４へ運行情報を出力するための所定の条件が実施例１と異なる。
【００８８】
すなわち、運行情報管理部１２は、上記＜条件２＞または下記＜条件３＞に該当するときに、運行情報データベースに記憶した運行情報を送信電力制御部１４に出力する。下記＜条件３＞に該当するか否かは、運行情報管理部１２が、運行情報データベースに記憶された運行情報と、運行情報取得部１１から新たに入力された運行情報とを比較することにより判定することができる。
【００８９】
＜条件３＞各エレベータの運行情報において、いずれかのエレベータの「開閉状態」が更新されたこと。例えば、乗りかご５１のドアが開いた状態から閉じた状態になった場合には、運行情報の「開閉状態」が‘開’から‘閉’に更新される。また、乗りかご５１のドアが閉じた状態から開いた状態になった場合には、運行情報の「開閉状態」が‘閉’から‘開’に更新される。
【００９０】
送信電力制御部１４は、運行情報管理部１２から入力される運行情報に基づいて、エレベータ基地局５２の送信電力、及び、各フロア基地局の送信電力を制御する。
【００９１】
送信電力情報管理部１５は、送信電力情報データベース（図示せず）を有し、図８及び図９に示す送信電力情報を送信電力情報データベースに記憶している。図８は、実施例２のエレベータ基地局の送信電力情報の一例を示す図である。図９は、実施例２のフロア基地局の送信電力情報の一例を示す図である。なお、図８には、一例として、ＩＤ‘００１’のエレベータの乗りかご５１に設置されたエレベータ基地局５２の送信電力情報のみを示す。
【００９２】
＜送信電力制御部の処理＞
送信電力制御部１４は、運行情報の「現在位置」及び「開閉状態」に基づいて、エレベータ基地局５２の送信電力、及び、各フロア基地局の送信電力を制御する。実施例２の送信電力制御を行うには、運行情報には、少なくとも、「エレベータＩＤ」と、「現在位置」と、「開閉状態」とが含まれていればよい。但し、ビル４０内にエレベータが１基しか設置されていない場合には、運行情報には、「エレベータＩＤ」が含まれる必要はない。また、送信電力制御部１４は、送信電力情報管理部１５の送信電力情報データベースに記憶された送信電力情報に従って送信電力制御を行う。
【００９３】
具体的には、例えば、送信電力情報が図８及び図９に示すものである場合、送信電力制御部１４は、以下のようにして、エレベータ基地局５２及び各フロア基地局に対して送信電力制御コマンドを送信することにより送信電力制御を行う。この送信電力制御コマンドには「送信電力値」が含まれる。
【００９４】
すなわち、送信電力制御部１４は、ＩＤ‘００１’のエレベータの乗りかご５１が移動中であるときは、図８に示す送信電力情報に従って、パターン‘Ｅ０’を選択する。そして、送信電力制御部１４は、ＩＤ‘００１’のエレベータの乗りかご５１に設置されたエレベータ基地局５２に対し、‘−１０dB’の送信電力値を含む送信電力制御コマンドを送信する。この送信電力制御コマンドに従って、エレベータ基地局５２は、送信電力を−１０dBに設定する。
【００９５】
また、送信電力制御部１４は、ＩＤ‘００１’のエレベータの乗りかご５１の現在位置が１階であり、かつ、乗りかご５１のドアが閉じているときは、図８に示す送信電力情報に従って、パターン‘Ｅ１−１’を選択する。そして、送信電力制御部１４は、ＩＤ‘００１’のエレベータの乗りかご５１に設置されたエレベータ基地局５２に対し、‘−１０dB’の送信電力値を含む送信電力制御コマンドを送信する。この送信電力制御コマンドに従って、エレベータ基地局５２は、送信電力を−１０dBに設定する。
【００９６】
また、送信電力制御部１４は、ＩＤ‘００１’のエレベータの乗りかご５１の現在位置が１階であり、かつ、乗りかご５１のドアが開いているときは、図８に示す送信電力情報に従って、パターン‘Ｅ１−２’を選択する。そして、送信電力制御部１４は、ＩＤ‘００１’のエレベータの乗りかご５１に設置されたエレベータ基地局５２に対し、‘−６dB’の送信電力値を含む送信電力制御コマンドを送信する。この送信電力制御コマンドに従って、エレベータ基地局５２は、送信電力を−６dBに設定する。
【００９７】
２階〜８階についても同様にして、送信電力制御部１４は、エレベータ基地局５２の送信電力を制御する。
【００９８】
ここで、運行情報管理部１２は、送信電力情報管理部１５にも運行情報を出力してもよい。そして、送信電力情報管理部１５は、乗りかご５１の現在位置に応じて、図８に示すように、「エレベータＩＤ」を更新してもよい。具体的には、例えば、送信電力情報管理部１５は、ＩＤ‘００１’のエレベータの乗りかご５１が移動中であるときは、エレベータＩＤを「０−００１」に更新する。また、送信電力情報管理部１５は、ＩＤ‘００１’のエレベータの乗りかご５１が１階に位置するときは、エレベータＩＤを「１−００１」に更新する。また、送信電力情報管理部１５は、ＩＤ‘００１’のエレベータの乗りかご５１が２階に位置するときは、エレベータＩＤを「２−００１」に更新する。３階〜８階についても同様である。このように、乗りかご５１が現在位置する階数に応じてエレベータＩＤを逐次更新することにより、送信電力情報のエレベータＩＤの項目を参照するだけで、乗りかご５１の現在位置、すなわち、エレベータ基地局５２の現在位置を把握することが可能になる。
【００９９】
また、送信電力制御部１４は、乗りかご５１が１階に位置しないときは、図９に示す送信電力情報に従って、パターン‘Ｆ１−１’を選択する。そして、送信電力制御部１４は、１階に設置された各フロア基地局１−１〜１−３に対し、‘−１０dB’の送信電力値を含む送信電力制御コマンドを送信する。この送信電力制御コマンドに従って、フロア基地局１−１〜１−３は、送信電力を−１０dBに設定する。
【０１００】
また、送信電力制御部１４は、乗りかご５１が１階に位置しており、かつ、乗りかご５１のドアが閉じているときは、図９に示す送信電力情報に従って、パターン‘Ｆ１−２’を選択する。そして、送信電力制御部１４は、１階に設置された各フロア基地局１−１〜１−３に対し、‘−８dB’の送信電力値を含む送信電力制御コマンドを送信する。この送信電力制御コマンドに従って、フロア基地局１−１〜１−３は、送信電力を−８dBに設定する。
【０１０１】
また、送信電力制御部１４は、乗りかご５１が１階に位置しており、かつ、乗りかご５１のドアが開いているときは、図９に示す送信電力情報に従って、パターン‘Ｆ１−３’を選択する。そして、送信電力制御部１４は、１階に設置された各フロア基地局１−１〜１−３に対し、‘−６dB’の送信電力値を含む送信電力制御コマンドを送信する。この送信電力制御コマンドに従って、フロア基地局１−１〜１−３は、送信電力を−６dBに設定する。
【０１０２】
２階〜８階についても同様にして、送信電力制御部１４は、各フロア基地局の送信電力を制御する。
【０１０３】
＜通信システムの動作＞
図１０は、実施例２の通信システムの動作の説明に供するシーケンス図である。
【０１０４】
通信制御装置１０−２において、運行情報管理部１２は、運行情報を送信電力制御部１４に出力する（ステップＳ３０１）。
【０１０５】
送信電力制御部１４は、運行情報に基づいて、送信電力情報管理部１５の送信電力情報データベースに記憶された送信電力情報を参照し（ステップＳ３０２）、基地局毎に、送信電力情報のいずれかのパターンを選択する（ステップＳ３０３）。
【０１０６】
送信電力制御部１４は、選択したパターンに対応する送信電力値を含む送信電力制御コマンドを各基地局に送信する（ステップＳ３０４，Ｓ３０５）。
【０１０７】
エレベータ基地局５２は、自局の送信電力を、送信電力制御コマンドに含まれる送信電力値に設定する（ステップＳ３０６）。
【０１０８】
また、フロア基地局は、自局の送信電力を、送信電力制御コマンドに含まれる送信電力値に設定する（ステップＳ３０７）。
【０１０９】
以上のように実施例２によれば、通信制御装置１０−２において、運行情報取得部１１は、エレベータの運行情報を取得する。送信電力制御部１４は、エレベータの運行情報に基づいて、エレベータ基地局５２の送信電力及びフロア基地局の送信電力を制御する。
【０１１０】
これにより、エレベータの運行状態に応じた適切な送信電力制御を行うことができるため、比較的簡易な構成により、電波干渉による通信スループットの低下を防止することができる。よって、エレベータの乗りかご５１に乗る移動端末ユーザへのサービス品質を向上させることができる。
【０１１１】
また、送信電力制御部１４は、乗りかご５１のドアが開いているときのエレベータ基地局５２の送信電力値を、乗りかご５１のドアが閉じているときのエレベータ基地局５２の送信電力値よりも小さな値に制御する。
【０１１２】
これにより、乗りかご５１のドアが開いているときの、エレベータ基地局５２からフロア基地局への電波干渉を低減することができ、電波干渉による通信スループットの低下を防止することができる。
【０１１３】
また、送信電力制御部１４は、乗りかご５１が位置する階に設置されたフロア基地局の送信電力値を、乗りかご５１が位置しない階に設置されたフロア基地局の送信電力値よりも小さな値に制御する。
【０１１４】
これにより、エレベータ基地局５２が現在位置する階のフロア基地局からエレベータ基地局５２への電波干渉を低減することができ、電波干渉による通信スループットの低下を防止することができる。
【０１１５】
また、送信電力制御部１４は、乗りかご５１のドアが開いているときのフロア基地局の送信電力値を、乗りかご５１のドアが閉じているときのフロア基地局の送信電力値よりも小さな値に制御する。
【０１１６】
これにより、乗りかご５１のドアが開いているときの、フロア基地局からエレベータ基地局５２への電波干渉を低減することができ、電波干渉による通信スループットの低下を防止することができる。
【０１１７】
［実施例３］
＜通信制御装置の構成＞
図１１は、実施例３の通信制御装置の一例を示す機能ブロック図である。図１１において、通信制御装置１０−３は、運行情報取得部１１と、運行情報管理部１２と、測位情報制御部１６と、測位情報管理部１７とを有する。図１１に示す通信制御装置１０−３は、図１に示す通信制御装置１０に対応する。
【０１１８】
運行情報管理部１２は、実施例１と同様にして、運行情報を記憶及び更新する。但し、実施例３では、運行情報管理部１２から測位情報制御部１６へ運行情報を出力するための所定の条件が実施例１と異なる。
【０１１９】
すなわち、運行情報管理部１２は、上記＜条件２＞または上記＜条件３＞に該当するときに、運行情報データベースに記憶した運行情報を測位情報制御部１６に出力する。
【０１２０】
測位情報制御部１６は、運行情報管理部１２から入力される運行情報に基づいて、各階毎に移動端末６０の位置を測位するための測位情報を制御する。
【０１２１】
測位情報管理部１７は、測位情報データベース（図示せず）を有し、図１２、図１３または図１４に示す測位情報を測位情報データベースに記憶して管理する。図１２は、実施例３の測位情報（乗りかご：無し，ドア：閉の場合）の一例を示す図である。図１３は、実施例３の測位情報（乗りかご：有り，ドア：閉の場合）の一例を示す図である。図１４は、実施例３の測位情報（乗りかご：有り，ドア：開の場合）の一例を示す図である。測位情報データベースに記憶される測位情報は、測位情報制御部１６の制御の下で、図１２〜図１４のいずれかに更新される。
【０１２２】
図１２〜図１４は、いずれも同一の階の測位情報である。また、図１２〜図１４では、１つの階のフロアをＸ軸とＹ軸とからなる２次元平面で示し、その２次元平面がＮ行Ｍ列の複数のエリアに区分けされている。図１２〜図１４には、１つの階のフロアを１０行１０列の１００個のエリアに区分した例を示す。また、例えば、図１２〜図１４の右下の太線で囲んだエリアにエレベータ５０が設置されている。また、図１２〜図１４には、１つの階に設置されるフロア基地局が３つである場合を一例として示す。
【０１２３】
例えば図１２〜図１４が１階のフロアに対応するものである場合、図１２〜図１４の各エリアにおいて、一段目の値はフロア基地局１−１から送信された信号の移動端末６０における受信電力値［dB］を示す。同様に、各エリアにおける二段目の値はフロア基地局１−２から送信された信号の移動端末６０における受信電力値［dB］を示し、各エリアにおける三段目の値はフロア基地局１−３から送信された信号の移動端末６０における受信電力値［dB］を示す。また、各エリアにおける四段目の値はエレベータ基地局５２から送信された信号の移動端末６０における受信電力値［dB］を示す。すなわち、図１２〜図１４は、１つの階のフロアの各エリアにおける移動端末の受信電力値マップである。
【０１２４】
このような予め作成された受信電力値マップである測位情報を用いて、各エリアの受信電力値と、移動端末６０の現在の実際の受信電力値とをマッチングすることにより、移動端末６０が現在、フロア内のどのエリアに位置するかを特定することができる。このような移動端末の位置測位のための受信電力値のマッチングは、ＲＦパターンマッチングと呼ばれる。
【０１２５】
＜測位情報制御部の処理＞
測位情報制御部１６は、運行情報の「現在位置」及び「開閉状態」に基づいて、測位情報を制御する。実施例３の測位情報制御を行うには、運行情報には、少なくとも、「エレベータＩＤ」と、「現在位置」と、「開閉状態」とが含まれていればよい。但し、ビル４０内にエレベータが１基しか設置されていない場合には、運行情報には、「エレベータＩＤ」が含まれる必要はない。
【０１２６】
具体的には、例えば、図１２〜図１４が１階のフロアに対応するものである場合、測位情報制御部１６は、以下のようにして、測位情報を制御する。
【０１２７】
すなわち、測位情報制御部１６は、乗りかご５１が１階に位置しないときは、測位情報管理部１７の測位情報データベースに記憶される測位情報を、図１２の測位情報に更新する。
【０１２８】
また、測位情報制御部１６は、乗りかご５１が１階に位置し、かつ、乗りかご５１のドアが閉じているときは、測位情報管理部１７の測位情報データベースに記憶される測位情報を、図１３の測位情報に更新する。
【０１２９】
また、測位情報制御部１６は、乗りかご５１が１階に位置し、かつ、乗りかご５１のドアが開いているときは、測位情報管理部１７の測位情報データベースに記憶される測位情報を、図１４の測位情報に更新する。
【０１３０】
つまり、測位情報制御部１６は、乗りかご５１の現在位置、及び、乗りかご５１のドアの開閉状態に基づいて、測位情報において、エレベータ基地局５２から送信された信号の移動端末における受信電力値、及び、フロア基地局１−１〜１−３から送信された信号の移動端末における受信電力値を更新する。
【０１３１】
ここで、図１２（乗りかご：無し，ドア：閉の場合）と、図１３（乗りかご：有り，ドア：閉の場合）及び図１４（乗りかご：有り，ドア：開の場合）とを比較する。エレベータ５０の設置位置に対応するエリアの４段目の受信電力値は、図１２では０dBである一方で、図１３及び図１４では−１０dBとなっている。また、エレベータ５０の設置位置に隣接する位置に対応するエリアの１〜３段目の受信電力値は、図１３及び図１４に示すものの方が、図１２に示すものより全体的に小さい値になっている。
【０１３２】
すなわち、測位情報制御部１６は、１階の測位情報において、エレベータ５０の設置位置に対応するエリアの４段目の受信電力値を、１階に乗りかご５１が位置する場合には、１階に乗りかご５１が位置しない場合より小さな値に更新する。
【０１３３】
これにより、乗りかご５１の現在位置に応じて、エレベータ基地局５２の送信電力制御を加味した適切な測位情報に更新することができる。
【０１３４】
また、測位情報制御部１６は、１階の測位情報において、エレベータ５０の設置位置に隣接する位置に対応するエリアの１〜３段目の受信電力値を、１階に乗りかご５１が位置する場合には、１階に乗りかご５１が位置しない場合より小さな値に更新する。
【０１３５】
これにより、乗りかご５１の現在位置に応じて、各フロア基地局の送信電力制御を加味した適切な測位情報に更新することができる。
【０１３６】
また、図１３（乗りかご：有り，ドア：閉の場合）と図１４（乗りかご：有り，ドア：開の場合）とを比較すると、エレベータ５０の設置位置に隣接する位置に対応するエリアの４段目の受信電力値は、図１４に示すものの方が、図１３に示すものより小さい値になっている。すなわち、測位情報制御部１６は、１階の測位情報において、エレベータ５０の設置位置に隣接する位置に対応するエリアの４段目の受信電力値を、乗りかご５１のドアが開いているときは、乗りかご５１のドアが閉じているときより小さな値に更新する。
【０１３７】
これにより、乗りかご５１のドアの開閉状態に応じて、エレベータ基地局５２の送信電力制御を加味した適切な測位情報に更新することができる。
【０１３８】
＜通信システムの動作＞
図１５は、実施例３の通信制御装置の動作の説明に供するシーケンス図である。
【０１３９】
通信制御装置１０−３において、運行情報管理部１２は、運行情報を測位情報制御部１６に出力する（ステップＳ４０１）。
【０１４０】
測位情報制御１６は、運行情報に基づいて、各階毎に、測位情報のいずれかのパターンを選択する（ステップＳ４０２）。ここでは、図１２がパターン１に対応し、図１３がパターン２に対応し、図１４がパターン３に対応する。
【０１４１】
測位情報制御１６は、選択したパターンを示す情報を含む更新通知を測位情報管理部１７に出力する（ステップＳ４０３）。
【０１４２】
測位情報管理部１７は、更新通知に従って、測位情報データベースに管理している測位情報を更新する（ステップＳ４０４）。
【０１４３】
以上のように実施例３によれば、通信制御装置１０−３において、運行情報取得部１１は、エレベータの運行情報を取得する。測位情報制御部１６は、エレベータの運行情報に基づいて、停止階毎に移動端末６０の位置を測位するための測位情報を制御する。
【０１４４】
これにより、エレベータの運行状態に応じ、各基地局の送信電力制御を加味して、測位情報を適切に制御できるため、エレベータの運行状態に起因する測位情報の誤差を小さくすることができる。このため、エレベータの運行状態に起因する、移動端末の位置測位の精度の低下を抑えることができ、よって、エレベータの乗りかご５１に乗る移動端末ユーザへのサービス品質を向上させることができる。
【０１４５】
［他の実施例］
［１］実施例１〜３では遮蔽空間を有する移動物体として、エレベータの乗りかご５１を一例に挙げて説明した。しかし、遮蔽空間を有する移動物体は、エレベータの乗りかご５１に限定されない。開示の技術は、エレベータの乗りかご５１以外の、遮蔽空間を有するあらゆる移動物体に対し、上記同様にして実施することができる。すなわち、通信制御装置において、取得部が、遮蔽空間を有する移動物体の運行情報を取得し、制御部が、取得された運行情報に基づいて、遮蔽空間内に設置された第１基地局と、移動物体の停止位置に設置された第２基地局との間の回線、第１基地局の送信電力及び第２基地局の送信電力、及び、移動端末の位置を測位するための測位情報の少なくとも一つを制御してもよい。これにより、実施例１〜３と同様に、遮蔽空間を有する移動物体に乗る移動端末ユーザへのサービス品質を向上させることができる。
【０１４６】
［２］実施例１〜３の通信制御装置１０−１〜１０−３は、次のようなハードウェア構成により実現することができる。図１６は、通信制御装置のハードウェア構成例を示す図である。通信制御装置１０−１〜１０−３は、ハードウェアとしては、図１６に示す通信制御装置１０により実現される。すなわち、図１６に示すように、通信制御装置１０は、ハードウェアの構成要素として、通信インタフェース１０ａと、ＣＰＵ（Central  Processing  Unit）１０ｂと、ＨＤＤ（Hard  Disk  Drive）１０ｃと、メモリ１０ｄとを有する。メモリ１０ｄは、例えば、ＳＤＲＡＭ等のＲＡＭ、ＲＯＭ、フラッシュメモリにより構成される。運行情報取得部１１は、通信インタフェース１０ａにより実現される。回線制御部１３と、送信電力制御部１４と、測位情報制御部１６とは、ＣＰＵ１０ｂにより実現される。運行情報管理部１２と、送信電力情報管理部１５と、測位情報管理部１７とは、ＣＰＵ１０ｂ及びＨＤＤ１０ｃにより実現される。
【０１４７】
［３］上記説明における各種の処理は、予め用意されたプログラムをＣＰＵ１０ｂに実行させることによっても実現できる。すなわち、運行情報取得部１１、回線制御部１３、送信電力制御部１４、測位情報制御部１６、運行情報管理部１２、送信電力情報管理部１５、または、測位情報管理部１７によって実行される各処理に対応するプログラムが予めＨＤＤ１０ｃまたはメモリ１０ｄに記憶され、各プログラムがＣＰＵ１０ｂへ読み出されてプロセスとして機能してもよい。また、各プログラムは、必ずしも予めＨＤＤ１０ｃまたはメモリ１０ｄに記憶される必要はない。すなわち、例えば、通信制御装置１０に接続可能なフレキシブルディスク（ＦＤ）、ＣＤ−ＲＯＭ、ＭＯディスク、ＤＶＤディスク、光磁気ディスク、ＩＣカード、メモリカード等の可搬の記録媒体に各プログラムが予め記録され、各プログラムがＣＰＵ１０ｂへ読み出されてプロセスとして機能してもよい。また例えば、インターネット、ＬＡＮ、ＷＡＮ等を介して無線または有線により通信制御装置１０に接続されるコンピュータまたはサーバ等に各プログラムが予め記憶され、各プログラムがＣＰＵ１０ｂへ読み出されてプロセスとして機能してもよい。
【０１４８】
［４］実施例１と実施例２とを組み合わせることも可能である。実施例２と実施例３とを組み合わせることも可能である。実施例１と実施例３とを組み合わせることも可能である。実施例１〜３のすべてを組み合わせることも可能である。
【０１４９】
以上の各実施例を含む実施形態に関し、さらに以下の付記を開示する。
【０１５０】
（付記１）エレベータの運行情報を取得する取得部と、
前記運行情報に基づいて、前記エレベータの乗りかごに設置された第１基地局と、前記エレベータが停止し得る停止階に設置された第２基地局との間の回線、前記第１基地局の送信電力及び前記第２基地局の送信電力、及び、前記停止階毎に移動端末の位置を測位するための測位情報の少なくとも一つを制御する制御部と、
を具備する通信制御装置。
【０１５１】
（付記２）前記運行情報は、前記乗りかごが停止する予定の階を示す停止予定階を含み、
前記制御部は、前記停止予定階に基づいて、前記乗りかごが前記停止予定階に到着する前に、前記第１基地局と、前記停止予定階に設置された前記第２基地局との間の前記回線を確立する、
付記１に記載の通信制御装置。
【０１５２】
（付記３）前記運行情報は、さらに、前記乗りかごの現在位置と、前記乗りかごの移動方向とを含み、
前記制御部は、前記停止予定階、前記現在位置、及び、前記移動方向に基づいて、前記乗りかごが前記停止予定階の方向へ進み、かつ、前記乗りかごが前記停止予定階に対し閾値以内に近接したときに、前記第１基地局と、前記停止予定階に設置された前記第２基地局との間の前記回線を確立する、
付記２に記載の通信制御装置。
【０１５３】
（付記４）前記運行情報は、前記乗りかごの現在位置を含み、
前記制御部は、前記現在位置に基づいて、前記乗りかごが移動を開始したときに、前記第１基地局と、移動元の階に設置された前記第２基地局との間の前記回線を解放する、
付記１に記載の通信制御装置。
【０１５４】
（付記５）前記運行情報は、前記乗りかごの現在位置と、前記乗りかごのドアの開閉状態とを含み、
前記制御部は、前記現在位置及び前記開閉状態に基づいて、前記第１基地局の送信電力及び前記第２基地局の送信電力を制御する、
付記１に記載の通信制御装置。
【０１５５】
（付記６）前記制御部は、前記ドアが開いているときの前記第１基地局の送信電力値を、前記ドアが閉じているときの前記第１基地局の送信電力値よりも小さな値に制御する、
付記５に記載の通信制御装置。
【０１５６】
（付記７）前記制御部は、前記乗りかごが位置する階に設置された前記第２基地局の送信電力値を、前記乗りかごが位置しない階に設置された前記第２基地局の送信電力値よりも小さな値に制御する、
付記５または６に記載の通信制御装置。
【０１５７】
（付記８）前記制御部は、前記ドアが開いているときの前記第２基地局の送信電力値を、前記ドアが閉じているときの前記第２基地局の送信電力値よりも小さな値に制御する、
付記５から７のいずれか一つに記載の通信制御装置。
【０１５８】
（付記９）前記第１基地局から送信された信号の前記移動端末における第１受信電力値と、前記第２基地局から送信された信号の前記移動端末における第２受信電力値とを示す前記測位情報を、前記停止階毎に管理する管理部、をさらに具備し、
前記運行情報は、前記乗りかごの現在位置と、前記乗りかごのドアの開閉状態とを含み、
前記制御部は、前記現在位置及び前記開閉状態に基づいて、前記第１受信電力値及び前記第２受信電力値を更新する、
付記１に記載の通信制御装置。
【０１５９】
（付記１０）前記制御部は、前記測位情報において、
前記停止階における前記エレベータの設置位置に対応するエリアの前記第１受信電力値を、当該階に前記乗りかごが位置するときは、当該階に前記乗りかごが位置しないときより小さな値に更新する、
付記９に記載の通信制御装置。
【０１６０】
（付記１１）前記制御部は、前記測位情報において、
前記停止階における前記エレベータの設置位置に隣接する位置に対応するエリアの前記第２受信電力値を、当該階に前記乗りかごが位置するときは、当該階に前記乗りかごが位置しないときより小さな値に更新する、
付記９または１０に記載の通信制御装置。
【０１６１】
（付記１２）前記制御部は、前記測位情報において、
前記停止階における前記エレベータの設置位置に隣接する位置に対応するエリアの前記第１受信電力値を、前記ドアが開いているときは、前記ドアが閉じているときより小さな値に更新する、
付記９から１１のいずれか一つに記載の通信制御装置。
【０１６２】
（付記１３）遮蔽空間を有する移動物体の運行情報を取得する取得部と、
前記運行情報に基づいて、前記遮蔽空間内に設置された第１基地局と、前記移動物体の停止位置に設置された第２基地局との間の回線、前記第１基地局の送信電力及び前記第２基地局の送信電力、及び、移動端末の位置を測位するための測位情報の少なくとも一つを制御する制御部と、
を具備する通信制御装置。
【０１６３】
（付記１４）エレベータの運行情報を取得し、
前記運行情報に基づいて、前記エレベータの乗りかごに設置された第１基地局と、前記エレベータが停止し得る停止階に設置された第２基地局との間の回線、前記第１基地局の送信電力及び前記第２基地局の送信電力、及び、前記停止階毎に移動端末の位置を測位するための測位情報の少なくとも一つを制御する、
通信制御方法。
【０１６４】
（付記１５）メモリと、
前記メモリに接続されたプロセッサと、を具備し、
前記プロセッサは、
エレベータの運行情報を取得し、
前記運行情報に基づいて、前記エレベータの乗りかごに設置された第１基地局と、前記エレベータが停止し得る停止階に設置された第２基地局との間の回線、前記第１基地局の送信電力及び前記第２基地局の送信電力、及び、前記停止階毎に移動端末の位置を測位するための測位情報の少なくとも一つを制御する、処理を実行する、
通信制御装置。
【符号の説明】
【０１６５】
１０，１０−１，１０−２，１０−３  通信制御装置
１１  運行情報取得部
１２  運行情報管理部
１３  回線制御部
１４  送信電力制御部
１５  送信電力情報管理部
１６  測位情報制御部
１７  測位情報管理部
２０  エレベータ運行管理装置
３０  ＥＰＣ（Evolved  Packet  Core）
４０  ビル
５０  エレベータ
５１  乗りかご
５２  エレベータ基地局
１−１，１−２，１−３，７−１，７−２，７−３，８−１，８−２，８−３  フロア基地局
６０  移動端末
１００  通信システム
【図１】
2014036265.tif 000003
【図２】
2014036265.tif 000004
【図３】
2014036265.tif 000005
【図４】
2014036265.tif 000006
【図５】
2014036265.tif 000007
【図６】
2014036265.tif 000008
【図７】
2014036265.tif 000009
【図８】
2014036265.tif 000010
【図９】
2014036265.tif 000011
【図１０】
2014036265.tif 000012
【図１１】
2014036265.tif 000013
【図１２】
2014036265.tif 000014
【図１３】
2014036265.tif 000015
【図１４】
2014036265.tif 000016
【図１５】
2014036265.tif 000017
【図１６】
2014036265.tif 000018